【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】  制御チャネル上でセルラ基地局により送信されるブロードキャストチャレンジ値を更新する方法において、
第１の更新アルゴリズムをブロードキャストチャレンジ値の複数の上位ビットに適用するステップと、
第２の更新アルゴリズムでブロードキャストチャレンジ値の複数の下位ビットに演算を行って、更新されたブロードキャストチャレンジ値を発生させるステップとを含む方法。
【請求項２】  適用ステップは、第１の最大長シフトレジスタアルゴリズムを適用することを含む請求項１記載の方法。
【請求項３】  適用ステップは、第１の疑似ランダム雑音発生アルゴリズムを適用することを含む請求項１記載の方法。
【請求項４】  演算ステップは、第２の最大長シフトレジスタアルゴリズムで複数の下位ビットに演算を行うことを含む請求項１記載の方法。
【請求項５】  演算ステップは、第２の疑似ランダム雑音発生アルゴリズムで複数の下位ビットに演算を行うことを含む請求項１記載の方法。
【請求項６】  適用ステップは、複数の上位ビットに対して反復値を生成するために更新のシーケンスに必要な時間期間の間に１度、複数の上位ビットに対する更新としてすべてゼロの値を挿入する第１の更新アルゴリズムを適用することを含む請求項１記載の方法。
【請求項７】  演算ステップは、複数の下位ビットに対して反復値を生成するために更新のシーケンスに必要な時間期間の間に１度、複数の下位ビットに対する更新としてすべてゼロの値を挿入する第２の更新アルゴリズムで複数の下位ビットに演算を行うことを含む請求項１記載の方法。
【請求項８】  適用ステップは、複数の上位ビットに対する各更新値が確実にゼロでない値となるようにする第１の更新アルゴリズムを適用することを含む請求項１記載の方法。
【請求項９】  演算ステップは、複数の下位ビットに対する各更新値が確実にゼロでない値となるようにする第２の更新アルゴリズムで複数の下位ビットに演算を行うことを含む請求項１記載の方法。
【請求項１０】  セルラシステム中で、複数の移動加入者ユニットを認証するために複数の基地局により使用される２進数を同期的に更新する方法において、
第１の更新アルゴリズムを、複数の基地局のそれぞれに対する２進数の複数の上位ビットに適用するステップと、
第２の更新アルゴリズムで複数の基地局のそれぞれに対する２進数の複数の下位ビットに演算を行うステップと、
適用および演算ステップから生じる２進数の複数の基地局更新値を同期化するステップとを含む方法。
【請求項１１】  同期化ステップは、複数の基地局に利用可能なシステム全体の時間基準で達成される請求項１０記載の方法。
【請求項１２】  システム全体の時間基準はＧＰＳ時間である請求項１１記載の方法。
【請求項１３】  適用ステップは、第１の最大長シフトレジスタアルゴリズムを適用することを含む請求項１１記載の方法。
【請求項１４】  適用ステップは、第１の疑似ランダム雑音発生アルゴリズムを適用することを含む請求項１１記載の方法。
【請求項１５】  演算ステップは、第２の最大長シフトレジスタアルゴリズムで複数の下位ビットに演算を行うことを含む請求項１１記載の方法。
【請求項１６】  演算ステップは、第２の疑似ランダム雑音発生アルゴリズムで複数の下位ビットに演算を行うことを含む請求項１１記載の方法。
【請求項１７】  適用ステップは、複数の上位ビットに対して反復値を生成するために更新のシーケンスに必要な時間期間の間に１度、複数の上位ビットに対する更新としてすべてゼロの値を挿入する第１の更新アルゴリズムを適用することを含む請求項１１記載の方法。
【請求項１８】  演算ステップは、複数の下位ビットに対して反復値を生成するために更新のシーケンスに必要な時間期間の間に１度、複数の下位ビットに対する更新としてすべてゼロの値を挿入する第２の更新アルゴリズムで複数の下位ビットに演算を行うことを含む請求項１１記載の方法。
【請求項１９】  適用ステップは、複数の上位ビットに対する各更新値が確実にゼロでない値となるようにする第１の更新アルゴリズムを適用することを含む請求項１１記載の方法。
【請求項２０】  演算ステップは、複数の下位ビットに対する各更新値が確実にゼロでない値となるようにする第２の更新アルゴリズムで複数の下位ビットに演算を行うことを含む請求項１１記載の方法。
【請求項２１】  セルラ基地局において、
ソフトウェアを実行することができる集積回路と、
集積回路により実行され、第１の更新アルゴリズムを２進数の複数の上位ビットに適用し、第２の更新アルゴリズムを２進数の複数の下位ビットに適用して、更新された２進数を発生させる１組のソフトウェア命令とを具備するセルラ基地局。
【請求項２２】  第１の更新アルゴリズムは第１のシミュレートされた最大長シフトレジスタアルゴリズムを含む請求項２１記載の基地局。
【請求項２３】  第１の更新アルゴリズムは第１の疑似ランダム雑音発生アルゴリズムを含む請求項２１記載の基地局。
【請求項２４】  第２の更新アルゴリズムは第２のシミュレートされた最大長シフトレジスタアルゴリズムを含む請求項２１記載の基地局。
【請求項２５】  第２の更新アルゴリズムは第２の疑似ランダム雑音発生アルゴリズムを含む請求項２１記載の基地局。
【請求項２６】  第１の更新アルゴリズムは、複数の上位ビットに対して反復値を生成するために更新のシーケンスに必要な時間期間の間に１度、複数の上位ビットに対する更新としてすべてゼロの値を挿入する請求項２１記載の基地局。
【請求項２７】  第２の更新アルゴリズムは、複数の下位ビットに対して反復値を生成するために更新のシーケンスに必要な時間期間の間に１度、複数の下位ビットに対する更新としてすべてゼロの値を挿入する請求項２１記載の基地局。
【請求項２８】  第１の更新アルゴリズムは、複数の上位ビットに対する各更新値が確実にゼロでない値となるようにする請求項２１記載の基地局。
【請求項２９】  第２の更新アルゴリズムは、複数の下位ビットに対する各更新値が確実にゼロでない値となるようにする請求項２１記載の基地局。
【請求項３０】  セルラシステムにおいて、
システム全体の時間基準信号と、
複数の移動加入者ユニットと、
複数の移動加入者ユニットとワイヤレス通信するように構成された複数の基地局とを具備し、
複数の基地局はそれぞれ、
ソフトウェアを実行することができる集積回路と、
集積回路により実行され、第１の更新アルゴリズムを２進数の複数の上位ビットに適用し、第２の更新アルゴリズムを２進数の複数の下位ビットに適用し、複数の基地局にわたってシステム全体の時間基準信号で２進数の連続した更新値を同期化する１組のソフトウェア命令とを備え、
２進数は基地局との通信を要求している任意の移動加入者ユニットを認証するように機能するセルラシステム。
【請求項３１】  システム全体の時間基準信号は複数の基地局のそれぞれに対してＧＰＳ時間の尺度を伝える請求項３０記載のセルラシステム。
【請求項３２】  第１の更新アルゴリズムは第１のシミュレートされた最大長シフトレジスタアルゴリズムを含む請求項３０記載のセルラシステム。
【請求項３３】  第１の更新アルゴリズムは第１の疑似ランダム雑音発生アルゴリズムを含む請求項３０記載のセルラシステム。
【請求項３４】  第２の更新アルゴリズムは第２のシミュレートされた最大長シフトレジスタアルゴリズムを含む請求項３０記載のセルラシステム。
【請求項３５】  第２の更新アルゴリズムは第２の疑似ランダム雑音発生アルゴリズムを含む請求項３０記載のセルラシステム。
【請求項３６】  第１の更新アルゴリズムは、複数の上位ビットに対して反復値を生成するために更新のシーケンスに必要な時間期間の間に１度、複数の上位ビットに対する更新としてすべてゼロの値を挿入する請求項３０記載のセルラシステム。
【請求項３７】  第２の更新アルゴリズムは、複数の下位ビットに対して反復値を生成するために更新のシーケンスに必要な時間期間の間に１度、複数の下位ビットに対する更新としてすべてゼロの値を挿入する請求項３０記載のセルラシステム。
【請求項３８】  第１の更新アルゴリズムは、複数の上位ビットに対する各更新値が確実にゼロでない値となるようにする請求項３０記載のセルラシステム。
【請求項３９】  第２の更新アルゴリズムは、複数の下位ビットに対する各更新値が確実にゼロでない値となるようにする請求項３０記載のセルラシステム。
【請求項４０】  基地局において、
ブロードキャストチャレンジ値の複数の上位ビットを更新する第１の手段と、
ブロードキャストチャレンジ値の複数の下位ビットを更新して、更新されたブロードキャストチャレンジ値を発生させる第２の手段とを具備する基地局。
【請求項４１】  第１の更新手段は第１のシミュレートされた最大長シフトレジスタを含む請求項４０記載の基地局。
【請求項４２】  第１の更新手段は第１の疑似ランダム雑音発生器を含む請求項４０記載の基地局。
【請求項４３】  第２の更新手段は第２のシミュレートされた最大長シフトレジスタを含む請求項４０記載の基地局。
【請求項４４】  第２の更新手段は第２の疑似ランダム雑音発生器を含む請求項４０記載の基地局。
【請求項４５】  第１の更新手段は、複数の上位ビットに対して反復値を生成するために更新のシーケンスに必要な時間期間の間に１度、複数の上位ビットに対する更新としてすべてゼロの値を挿入することを含む請求項４０記載の基地局。
【請求項４６】  第２の更新手段は、複数の下位ビットに対して反復値を生成するために更新のシーケンスに必要な時間期間の間に１度、複数の下位ビットに対する更新としてすべてゼロの値を挿入することを含む請求項４０記載の基地局。
【請求項４７】  第１の更新手段は、複数の上位ビットに対する各更新値が確実にゼロでない値となるようにすることを含む請求項４０記載の基地局。
【請求項４８】  第２の更新手段は、複数の下位ビットに対する各更新値が確実にゼロでない値となるようにすることを含む請求項４０記載の基地局。
【請求項４９】  セルラシステムにおいて、
システム全体の時間同期を確立する手段と、
複数の移動加入者ユニットと、
複数の移動加入者ユニットとワイヤレス通信するように構成された複数の基地局とを具備し、
複数の基地局はそれぞれ、
２進数の複数の上位ビットを更新する第１の手段と、
２進数の複数の下位ビットを更新する第２の手段と、
システム全体の時間同期を確立する手段で複数の基地局にわたって２進数の連続した更新値を同期化する手段とを備え、
２進数は基地局との通信を要求している任意の移動加入者ユニットを認証するように機能するセルラシステム。
【請求項５０】  システム全体の時間同期を確立する手段は複数の基地局のそれぞれに対してＧＰＳ時間の尺度を伝える請求項４９記載のセルラシステム。
【請求項５１】  第１の更新手段は第１のシミュレートされた最大長シフトレジスタを含む請求項４９記載のセルラシステム。
【請求項５２】  第１の更新手段は第１の疑似ランダム雑音発生器を含む請求項４９記載のセルラシステム。
【請求項５３】  第２の更新手段は第２のシミュレートされた最大長シフトレジスタを含む請求項４９記載のセルラシステム。
【請求項５４】  第２の更新手段は第２の疑似ランダム雑音発生器を含む請求項４９記載のセルラシステム。
【請求項５５】  第１の更新手段は、複数の上位ビットに対して反復値を生成するために更新のシーケンスに必要な時間期間の間に１度、複数の上位ビットに対する更新としてすべてゼロの値を挿入する請求項４９記載のセルラシステム。
【請求項５６】  第２の更新手段は、複数の下位ビットに対して反復値を生成するために更新のシーケンスに必要な時間期間の間に１度、複数の下位ビットに対する更新としてすべてゼロの値を挿入する請求項４９記載のセルラシステム。
【請求項５７】  第１の更新手段は、複数の上位ビットに対する各更新値が確実にゼロでない値となるようにする請求項４９記載のセルラシステム。
【請求項５８】  第２の更新手段は、複数の下位ビットに対する各更新値が確実にゼロでない値となるようにする請求項４９記載のセルラシステム。